(57)【要約】【課題】ボウリングレーンにおいて、カーリングのように床に接触させて滑らせることで投擲を行うことができ、かつ、ボウリングの従来のレーンに用いられる循環機構・循環通路をそのまま、もしくは少しの改良によって使用することができるボウリングレーン用の投擲体を提供する【解決手段】ボウリングレーン用の投擲体として、ボウリングボールと同じ大きさの球体において、少なくともボウリングレーン上の移動中において、当該球体の中心から鉛直下方に向う半径上の所定位置から当該半径に垂直な平面で切った先端側部分を取り除いた形態を有する。【選択図】  図１
2007319583.tif 000002
【特許請求の範囲】
【請求項１】
ボウリングボールとほぼ同じ大きさの球体において、少なくともボウリングレーン上の移動中において、当該球体の中心から鉛直下方に向う半径上の所定位置から当該半径に垂直な平面で切った先端側部分を取り除いた形態となるボウリングレーン用投擲体。
【請求項２】
前記所定位置は、前記球体の中心から半径の３分の１以上２分の1以下である請求項１に記載のボウリングレーン用投擲体。
【請求項３】
前記先端側部分が没入可能に形成されるとともに、ほぼ球形を保った球形状態と、先端側部分が完全に没入する没入状態とに変形し得るよう形成される請求項１又は２に記載のボウリングレーン用投擲体。
【請求項４】
前記先端側部分は弾性体により内部から球形を保つように保持され、かつ、この弾性体は、平らな床面に置かれたときに、先端側部分より上方部分の重さにより先端側部分が完全に没入する程度の弾性力に設定される請求項３に記載のボウリングレーン用投擲体。
【請求項５】
ボウリングレーン上に接する下部の少なくとも一部にボウリングレーンに対する移動抵抗を低下させる抵抗低下手段が設けられる請求項１から４のいずれか１項に記載のボウリングレーン用投擲体。
【請求項６】
前記球体の中心を通る垂線を回転軸とする、ボウリングレーン上に接する面を含む第一部分と、それ以外の第二部分とから構成され、第二部分は第一部分に前記回転軸を中心に回動可能に支持される請求項１から５のいずれか１項に記載のボウリングレーン用投擲体。
【請求項７】
ボウリングレーン上に接する下部以外の表面部分がエラストマーにより形成される請求項１から６のいずれか１項に記載のボウリングレーン用投擲体。
【請求項８】
ボウリングレーン上に接する下部以外の表面から一定厚さまでの部分が内部の弾性部材により支持される請求項１から７のいずれか１項に記載のボウリングレーン用投擲体。
【請求項９】
ボウリングレーン上に接する下部以外の表面に複数の突起が設けられる請求項１から８のいずれか１項に記載のボウリングレーン用投擲体。
【請求項１０】
ボウリングレーン上に接する下部に対向する部分に幅広の溝が形成されるとともに、溝の底に当該溝の深さ以下の高さを有する把手が設けられる請求項１から９のいずれか１項に記載のボウリングレーン用投擲体。
【請求項１１】
ボウリングレーン上に接する面に対向する部分の表面に穴を穿つことにより把手が形成される請求項１から９のいずれか１項に記載のボウリングレーン用投擲体。
【請求項１２】
ボウリングレーン上に接する面に対向する部分の表面に出没可能な把手であって手を離すと没入するよう形成される把手が設けられる請求項１から９のいずれか１項に記載のボウリングレーン用投擲体。
【発明の詳細な説明】
【技術分野】
【０００１】
本発明はボウリングのボールの代わりに、ピンを倒すために投擲をする投擲体に関する。
【背景技術】
【０００２】
ボウリングのボールは、ボールに空けられた３つの穴のぞれぞれに指を入れて、ボールを持ち上げ、歩きながら腕を後方から前方へ移動させることで投球するものである。しかし、このような投球は、一連の動きの中で投球タイミングを決定する必要があり、老人や身障者など、体の動きに支障がある場合には、うまく投球できない場合がある。
これに対応するものとして、下記特許文献には、ボウリングボールをラジコンにより走行可能とする発明が開示されている。この発明によれば、体力は必要ないので、身障者等でも容易にボウリングをすることができ、また、ボウリングボールの形状は通常のボウリングボールと変わらないため、ボールの循環通路を戻ってくるので、通常のボウリングレーンを使用することができる。
【特許文献１】特開２００５−２０４９８６号
【発明の開示】
【発明が解決しようとする課題】
【０００３】
しかしながら、特許文献１に記載のボウリングボールは、ラジコンで操作をするためにスポーツをしている感覚に乏しい。
ところで、ボウリングのような重い投擲体を用いるスポーツとしてカーリングがある。カーリングの投擲では、ストーンを床に接触した状態で押し出すので、ボウリングのような動きは少ないため、投擲をするだけであれば比較的容易で、投擲体が重いのでボウリングのピンを倒すことも可能であり、また、スポーツをしている感覚を十分に得ることもできる。
しかし、カーリングのストーンを投擲体としてボウリングレーンで用いると循環機構・循環通路を通ることができないので、専用の新たな循環機構・循環通路を一から作る必要がある。
本発明は、このような問題に鑑み、ボウリングレーンにおいて、カーリングのように床に接触させて滑らせることで投擲を行うことができ、かつ、ボウリングの従来のレーンに用いられる循環機構・循環通路をそのまま、もしくは少しの改良によって使用することができるボウリングレーン用の投擲体を提供することを課題とする。
【課題を解決するための手段】
【０００４】
上記課題を解決するために、本発明は次のような構成を有する。
請求項１に記載の発明は、ボウリングボールと同じ大きさの球体において、少なくともボウリングレーン上の移動中において、当該球体の中心から鉛直下方に向う半径上の所定位置から当該半径に垂直な平面で切った先端側部分を取り除いた形態となるボウリングレーン用投擲体である。なお、先端側部分は、前記球体を前記平面で切った際の体積の小さい側の部分により形成される。ボウリングボールと同じ大きさの球体とは、規格に定めららるボウリングボールと同じ球体を意味し、現行の規格では、直径が２１．５９ｃｍ以上２１．８３１ｃｍ以内の球体が該当することとなる。
請求項２に記載の発明は、前記ボウリングレーン用投擲体において、前記所定位置を、前記球体の中心から半径の３分の１以上２分の1以下としたものである。
【０００５】
請求項３に記載の発明は、前記ボウリングレーン用投擲体において、前記先端側部分が没入可能に形成されるとともに、ほぼ球形を保った球形状態と、先端側部分が完全に没入する没入状態とに変形し得るよう形成されるものである。なお、完全に没入とは下部の最下点がボウリングレーンに全て接触し得る状態となることをいう。また、没入可能となる先端側部分は一部が切り欠かれている等完全でない場合も含まれる。
請求項４に記載の発明は、前記請求項３に記載のボウリングレーン用投擲体において、前記先端側部分が没入可能に形成されるとともに、この先端側部分は弾性体により内部から球形を保つように保持され、かつ、この弾性体は、平らな床面に置かれたときに先端側部分より上方部分の重さにより先端側部分が完全に没入する程度の弾性力に設定されるものである。
【０００６】
請求項５に記載の発明は、前記ボウリングレーン用投擲体において、ボウリングレーン上に接する下部の少なくとも一部にボウリングレーンに対する移動抵抗を低下させる抵抗低下手段が設けられるものである。なお、ボウリングレーン上に接する下部とは、前記球体において先端側部分に向かい合う部分をボウリングレーン上に載置した際に、ボウリングレーン上に接触する部分をいう。
請求項６に記載の発明は、前記ボウリングレーン用投擲体において、前記球体の中心を通る垂線を回転軸とする回転体からなり、ボウリングレーン上に接する下部を含む第一部分と、それ以外の第二部分とから構成され、第二部分は第一部分に前記回転軸を中心に回動可能に支持されるものである。
【０００７】
請求項７に記載の発明は、前記ボウリングレーン用投擲体において、ボウリングレーン上に接する下部以外の表面部分がエラストマーにより形成されるものである。
請求項８に記載の発明は、前記ボウリングレーン用投擲体において、ボウリングレーン上に接する下部以外の表面から一定厚さまで部分が内部の弾性部材により支持されるものである。
請求項９に記載の発明は、前記ボウリングレーン用投擲体において、ボウリングレーン上に接する下部以外の表面に複数の突起が設けられるものである。
【０００８】
請求項１０に記載の発明は、前記ボウリングレーン用投擲体において、ボウリングレーン上に接する下部に対向する部分に幅広の溝が形成されるとともに、溝の底に当該溝の深さ以下の高さを有する把手が設けられるものである。
請求項１１に記載の発明は、前記ボウリングレーン用投擲体において、ボウリングレーン上に接する下部に対向する部分の表面に穴を穿つことにより把手が形成されるものである。
請求項１２に記載の発明は、前記ボウリングレーン用投擲体において、ボウリングレーン上に接する下部に対向する部分の表面に出没可能な把手であって手を離すと没入するよう形成される把手が設けられるものである。
【発明の効果】
【０００９】
請求項１に記載の発明は、ボウリングボールから下半分の一部を平面により切り取った形状を有することで、下部をボウリングレーンに滑らせるようにして投擲できるので、身体的能力が比較的低くても使用することができ、また、ボウリングボールとほぼ同じ球体を切り取って形成されているので、ボウリングレーンの循環機構・循環通路をそのまま、もしくは、循環機構・循環通路に多少の改良を加えれば返却され、従来の設備を無駄にすることなく使用することができる。
請求項２に記載の発明は、球体の下部を２分の１から３分の２削除することで、ボウリングレーンを滑らせる際の安定を得られ、かつ、ボウリングレーンの循環機構・循環通路にもうまく対応することができる。
【００１０】
請求項３に記載の発明は、ボウリングレーンを移動する際には先端側部分が没入し、循環機構・循環通路を通る際には、ほぼ球形になるようにすることで、ボウリングレーンを滑らせて投擲するとともに、循環機構・循環通路をスムーズに通過するようにできる。
請求項４に記載の発明は、先端側部分の没入状態と、球形状態への変形を弾性体を利用して比較的簡易な機構で実現することができる。
【００１１】
請求項５に記載の発明は、抵抗低下手段により、ボウリングレーン上をより滑らかに移動させることができる。
請求項６に記載の発明は、第一部分と、第二部分とを相対的に回転させることにより、ピンに対しても第二部分の回転方向の力を加えることができる。
請求項７、８に記載の発明は、外表面部分に弾性体によるクッションが形成されることで、ピンに対して従来のボウリングボールにない力を与えることができる。
請求項９に記載の発明は、表面に突起を設けることで、ピンに対してランダムな方向に力を与えることができ、予想外のピンアクションを実現することができる。
【００１２】
請求項１０、１１、１２に記載の発明は、ボウリングレーン用投擲体が転がる際に邪魔にならない把手を設けることで、ボウリングレーンの循環機構・循環通路を利用できるとともに、把手を持って投擲をすることができる。
【発明を実施するための最良の形態】
【００１３】
以下、本発明の実施形態について、図面を参照しながら説明する。
（実施形態１）
図１に本実施形態１に係るボウリングレーン用投擲体Ｘの下方から見た斜視図を示し、図２にボウリングレーン用投擲体Ｘの縦断面図を示す。ボウリングレーン用投擲体Ｘは、本体１０ａ、出没部２０、抵抗低下体３０より構成される。
本体１０ａは、ボウリングボールと同じ外径を有する球体から球体の半径上の所定位置で半径に垂直な平面で切断し、体積の小さな先端側部分を取り除いた形状をしており、合成樹脂により成型される。なお、半径上の所定位置は、ここでは、半径の約２分の１の位置が設定されるが、これは適宜変更することができる。本体１０ａの下部の円形部分の中央には、円形部分の外縁よりやや小さな底面を有する円筒状の穴である出没口１１が形成されている。また、出没口１１の底面にはさらに、途中で半径の小さくなる円筒状の穴である棒体保持穴１２が２つ平行かつ中心に対称に形成されている。棒体保持穴１２の下方の大きな内径を有する部分には雌ネジが形成されている。
【００１４】
出没部２０は、本体１０ａの元となる球体から切り取られた先端側部分の外周縁を１ｃｍ程度切り取った形状に、平らな円形面と同じ底面を有する扁平な円筒を合わせたような形状を有するものであって、この出没部２０の外径は本体１０ａの出没口１２の内径よりやや小さくなるように形成されており、これにより出没部２０は出没口１２内を摺動することができる。即ち、出没部２０は本体１０ａに対して出没可能に形成される先端側部分を構成する。出没部２０の平らな上面には、前記棒体保持穴１２のそれぞれの小さな内径の穴に挿入できる太さを有する棒体２１が２本立設されている。棒体２１の先端部分には雄ネジが形成されている。この雄ネジ部分には、抜け止めとなるナット２２ａが固定されており、さらに、棒体保持穴１２の大きな内径の下方の穴に形成される雌ネジ部分には、棒体２１が緩やかに摺動できる穴が開いたドーナツ状の円盤体２２ｂが外周の雄ネジによって係合している。さらに、円盤体２２ｂと出没部２０の平面間には、棒体保持穴１２の大きな内径の穴とほぼ同じ外径を有する圧縮バネ２２ｃが設けられている。図２に示すように、円盤体２２ｂによりナット２２ａが係合した棒体２１は移動が規制され、この位置に棒体が存するときに、出没部２０の球面部分が、本体１０ａの元の球面上に存するように設定されている。このような構造により、外から力が加わらない状態においては、圧縮バネ２２ｃが出没部２０を本体１０ａ内部から外側に押し出す結果として、図１、２に示すように本体１０ａと出没部２０とはほぼ球体を保つようになっている。また、圧縮バネ２２ｃは２本合わせて、出没部２０が下方になるように床に置くと、本体１０ａの重さにより、出没部２０が完全に没入する程度の弾性力に設定されている。なお、この弾性力はこの限度において最大限の弾性力となるように設定されている。図３に没入部２０が完全に本体１０ａに没入した状態を示す縦断面図を示す。
抵抗低下体３０は、小型のボールキャスターにより形成されるものであって、本体１０ａの出没口１１に隣接する平らなドーナツ状部分に１２個埋設されている。
【００１５】
以上のような構成を有するボウリングレーン用投擲体Ｘの使用方法について以下に説明する。まず、使用者はボウリングレーンの手前の床に、没入部２０が下になるようにしてボウリングレーン用投擲体Ｘを置く。これにより、没入部２０は本体１０ａ内に没入し、図３に示すような状態となる。次に、この状態で、適切な位置に調整し、腕を曲げた状態で投擲する方の手を本体１０ａの頂点やや後方に乗せ、腕を伸ばすことでボウリングレーン用投擲体Ｘを前方へ押し出し、ピンに向って投擲をする。ボウリングレーンにはワックスが塗布されており、また、ボウリングレーン投擲体Ｘは抵抗低下体３０と没入部２０の頂点のみが接地しているので、ほとんど抵抗を受けることなく、ボウリングレーン上を滑っていき、ピンに到達する。その後、ボウリングレーン用投擲体Ｘは、循環機構により循環通路へと押し出される。この際、ボウリングレーン用投擲体Ｘは、転がされることになるが、没入部２０を支持する圧縮バネ２２ｃは、本体１０ａの重さによりぎりぎり没入する程度の強さであるので、没入部２０は転がっている状態においてはほとんど没入することなく循環通路を通って、返却口から返却されることとなる。
このように、本ボウリングレーン用投擲体Ｘは、押し出すことによりカーリングのストーンのように投擲することができ、また、転がっている状態においては、通常のボウリングボールのように振舞うので、循環機構を通じて返却されるようにすることができるので、従来のボウリングレーンで使用することが可能となる。
なお、没入部２０の床に接する頂点部には、移動防止体としてボールキャスターを設けてもよい。この際、ボールキャスターは突出量が少なくなるように、大きめのボールが深く埋まるような形態が望ましい。
【００１６】
（実施形態２）
次に、実施形態２に係るボウリングレーン用投擲体Ｙについて説明する。図４にボウリングレーン用投擲体Ｙの一部破断斜視図を示す。ボウリングレーン用投擲体Ｙは、本体１０ｂと、回転体４０とから構成される。本体１０ｂは、やはり、ボウリングボールと同じ外径を有する球体から球体の半径上の所定位置で半径に垂直な平面で切断し、体積の小さな先端側部分を取り除いた形状をしており、合成樹脂により成型される。本体１０ｂの切断面には、回転体４０が固定される円筒状の穴が形成されている。
回転体４０は、内部に金属性の錘が封入された合成樹脂性の円筒体４１と、円筒体４１を本体１０ｂ内部に回動自在に固定する２つのベアリング４２とから構成される。このような構成により、円筒体４１は、本体１０ｂに対して自在に回転することができる。即ち、回転体４０が前記球体の中心を通る垂線を回転軸とする回転体からなり、ボウリングレーン上に接する下部を含む第一部分と構成し、本体１０ｂが第一部分に前記回転軸を中心に回動可能に支持される第二部分を構成する。
【００１７】
このような構成を有するボウリングレーン用投擲体Ｙの使用方法を以下に説明する。まず、使用に際しては、ゴム板などが敷かれた床に回転体４０の底面が接触するように置き、本体１０ｂを回転体４０に対して回転させる。この状態で本体１０ｂを持ち上げると、慣性により回転体４０は本体１０ｂに対して回転を続ける。この状態で、ボウリングレーンの手前に、回転体４０の底面が接触するように置き、位置を合わせたのちに、手を添えて本体１０ｂを前方に押し出すようにして投擲をする。すると、ボウリングレーン用投擲体Ｙはワックスの塗布してあるボウリングレーン上を滑りながら移動するが、回転体４０と本体１０ｂとが相対的に回転しているので、互いに回転しながら進む。そして、ボウリングレーン上のピン手前のワックスの少ないエリアではカーブがかかるとともに、ピンに衝突するとピンに対しても回転力を付与することができる。その後、循環機構を通じてボウリングレーン用投擲体Ｙは返還されることとなるが、本体１０ｂはほぼ球体であるので、転がって移動することができ、従来の循環機構をそのまま、もしくは少しの改良を加えるだけで使用することができる。
【００１８】
（実施形態３）
図５（ａ）に実施形態３に係るボウリングレーン用投擲体Ｚ１の縦断面図を示す。本ボウリングレーン用投擲体Ｚ１は、やはり、球体の半径上の所定位置で半径に垂直な平面で切断し、体積の小さな先端側部分を取り除いた形状を有する本体１０ｃにより形成され、本体１０Ｃは内部１３が硬い合成樹脂により形成されるとともに、底面を除いた外表面部１４が、ゴムにより形成されるものである。このような構成により、ピンに衝突する表面部分が変形量の大きな弾性体となり、従来のボウリングボールでは実現できない、ピンアクションを実現することができる。なお、ゴムの代わりに熱可塑性エラストマーなどを使用してもよい。
なお、外表面に弾性力を付与する方法は、図５（ａ）に示すような方法に限らず、図５（ｂ）に示すように本体１０ｄの外表面は硬い合成樹脂の外殻１６により形成するとともに、内部１５も硬い合成樹脂により形成し、内部１５と外殻１６との間を複数の圧縮バネ１６ａにより連結するような構成としてもよい。又、弾性体として圧縮バネ１６ａの代わりにゴムを充填してもよい。このような構成によっても、従来のボウリングボールでは実現できないピンアクションを実現することができる。
【００１９】
（実施形態４）
図６に実施形態４に係るボウリングレーン用投擲体Ｖの斜視図を示す。本ボウリングレーン用投擲体Ｖは、球体の半径上の所定位置で半径に垂直な平面で切断し、体積の小さな先端側部分を取り除いた形状を有する本体１０ｅの外表面に複数の突起１７を固定したものである。これにより、やはり、従来のボウリングボールでは実現できないピンアクションを実現することができる。なお、突起は扁平なものとすることで、ボウリングレーンの循環機構をそのまま、もしくは、多少の改良を加えることで使用することができる。
【００２０】
（実施形態５）
図７（ａ）に実施形態５に係るボウリグレーン用投擲体Ｗ１の斜視図を示す。実施形態５に係るボウリンレーン用投擲体Ｗ１は、把手部１８が設けられたものである。即ち、球体の半径上の所定位置で半径に垂直な平面で切断し、体積の小さな先端側部分を取り除いた形状を有する本体１０ｆの切断面に相対する側に溝１８ａを形成し、溝１８ａ内に、溝１８ａの深さを越えない高さを有する把手１８ｂを設けたものである。このように把手部１８を設けることで、投擲時に把手を?んで投擲することができるので、投擲方向を安定させることができ、また、通常のボウリングボールのように腕を振り子のように使って勢いをつけて投擲することもできる。そして、把手１８ｂは溝１８ａ内に収まるので、ボウリグレーン用投擲体Ｗ１が転がる際に邪魔にならず、やはり、通常のボウリングレーンの循環機構をそのまま、もしくは、多少の改良を加えることで使用することができる。
【００２１】
なお、ボウリングレーンの循環機構をそのまま、もしくは、多少の変更を加えて使用できる把手部１８の形態は上記のものには限られない。例えば、図７（ｂ）に縦断面図が示されるボウリグレーン用投擲体Ｗ２のように、投擲時には把手１８ｃが外部に飛び出し、投擲後に本体１０ｇ内に収まるようにすることもできる。ボウリングレーン用投擲体Ｗ２は、把手１８ｃが丁度収まる穴１８ｄが本体１０ｇの上面に形成されるとともに、把手１８ｃの脚部を形成する先端にバネ押さえが固定された棒体１８ｇが摺動できる穴１８ｅが形成されており、棒体１８ｇは穴１８ｅの開口近傍に設けられた抜け止め１８ｈと棒体１８ｇ先端のバネ押さえとの間には圧縮バネ１８ｆが設けられている。このような構成により、通常は圧縮バネ１８ｆの力で把手１８ｃは本体１０ｇの穴１８ｄ内に収まっているが、投球の際は、圧縮バネ１８ｆに抗して把手１８ｃを引っ張り出すことができ、この状態で持つことで、把手１８ｃは外部へ突出した状態が保たれる。そして、このまま、ボウリグレーン用投擲体Ｗ２を投擲して把手１８ｃから手が離れると、把手１８ｃを拘束するものがなくなるので、圧縮バネ１８ｆにより把手１８ｃは再び穴１８ｅに収まることとなる。これにより、把手１８ｃが循環機構・循環通路に対して邪魔になることがなくなる。
【００２２】
また、このような把手部１８の把手がボウリングレーン用投擲体内に出没する形態は種々の変形が可能である。図８、９に把手が出没する他の形態を示す。図８に示すボウリングレーン用投擲体Ｗ５は、把手１８ｍが回動して出没するものである。図８（ａ）はボウリングレーン用投擲体Ｗ５の平面図を、図８（ｂ）は（ａ）のＡ−Ａ断面図を示す。図に示すようにボウリングレーン用投擲体Ｗ５は、本体１０ｊ上面の球の表面に沿うようなカーブが形成されたＵ字状の把手１８ｍと、把手１８ｍが内部に納まるように本体１０ｊに形成されるＵ字状の溝１８ｏと、溝１８ｏ内で把手１８ｍの開放端を軸支する回動軸１８ｎとから構成される。なお、把手１８ｍは回動軸１８ｎに設けられる図示しないねじりコイルバネにより、溝１８ｏ内に収まるように付勢されている。このような構成により、投擲時には、把手１８ｍを図８（ｂ）の想像線に示すように外部に引き出し、この状態で把手１８ｍを持って投擲をする。投擲後は、ねじりコイルバネにより把手１８ｍは本体１０ｊ内に収まり、邪魔にならない。
図９に示すボウリングレーン用投擲体Ｗ６は、把手１８ｐの位置が高くなり、立った状態でも投擲できるものである。図９（ａ）は把手１８ｐが没入状態にあるボウリングレーン用投擲体Ｗ６の縦断面図であり、図９（ｂ）は把手１８ｐが突出状態にあるボウリングレーン用投擲体Ｗ６の縦断面図である。なお、図では把手１８は便宜上断面になっていない。図に示すようにボウリングレーン用投擲体Ｗ６は、把手１８ｐの下に複数の入れ子状態になった筒により伸縮可能となった連結杆１８ｑと連結杆１８ｑが縮んだ状態において、把手１８ｐ及び連結杆１８ｑとが収まるように本体１０ｋに設けられた穴１８ｒとからなる。なお、連結杆１８ｑは図示しない内蔵している引張バネにより縮むように付勢されている。このような構成により、投擲時には、把手１８ｐを上方に引き上げることで連結杆１８ｑを伸ばし、この状態で投擲を行う。投擲後は、引張バネにより連結杆１８ｑが縮み把手１８ｐは穴１８ｒ内に収まり、やはり邪魔にならない。
【００２３】
さらに、把手１８の構成としては、図１０（ａ）の縦断面図に示されるボウリングレーン用投擲体Ｗ３のように、本体１０ｈの平らな面に対向する側に穴１８ｊを穿つとともに、穴の上縁１８ｉを持つことができるように穴１８ｊの内部を側方に広げることで、把手部１８を形成したり、図１０（ｂ）の斜視図に示されるボウリングレーン用投擲体Ｗ４のように、本体１０ｉから把手１８ｋを残すようにして、左右から内部側で連結する穴１８ｌを形成することで、把手部１８を形成する等、種々の方法が考えられる。
【００２４】
なお、上記実施形態は特徴部分をピックアップして説明しているが、各実施形態を適宜組み合わせてもよい。また、投擲方法は一例であり、異なるフォームにより投擲をしたり、道具を使用して投擲をしてもよい。
また、実施形態１にのみ抵抗低下体を設けたが、抵抗低下体は他の実施形態におけるボウリングレーンに接する下部に設けることができる。また、抵抗低下体はボールキャスターに限られず、テフロン(登録商標)加工等により滑りをよくした板状体等、移動抵抗が少なくなるような構成であれば種々のものが採用できる。
【図面の簡単な説明】
【００２５】
【図１】実施形態１に係るボウリングレーン用投擲体の斜視図である。
【図２】実施形態１に係るボウリングレーン用投擲体の縦断面図である。
【図３】実施形態１に係るボウリングレーン用投擲体の没入部が没入した状態を示す縦断面図である。
【図４】実施形態２に係るボウリングレーン用投擲体の一部破断斜視図である。
【図５】（ａ）は実施形態３に係るボウリングレーン用投擲体の縦断面図であり、（ｂ）は実施形態３に係るボウリングレーン用投擲体の変形例を示す縦断面図である。
【図６】実施形態４に係るボウリングレーン用投擲体の斜視図である。
【図７】（ａ）は実施形態５に係るボウリングレーン用投擲体の斜視図であり、（ｂ）は実施形態５に係るボウリングレーン用投擲体の第一の変形例を示す縦断面図である。
【図８】（ａ）は実施形態５に係るボウリングレーン用投擲体の第二の変形例を示す平面図であり、（ｂ）は（ａ）のＡ−Ａ断面図である。
【図９】（ａ）（ｂ）ともに実施形態５に係るボウリングレーン用投擲体の第三の変形例を示す縦断面図である。
【図１０】（ａ）は実施形態５に係るボウリングレーン用投擲体の第四の変形例を示す縦断面図であり、（ｂ）は実施形態５に係るボウリングレーン用投擲体の第五の変形例を示す斜視図である。
【符号の説明】
【００２６】
Ｘ、Ｙ、Ｚ１、Ｚ２、Ｖ、Ｗ１〜６    ボウリングボール投球補助具
１０ａ〜ｋ    本体
１４          外表面部
１６          外殻
１７          突起
１８          把手部
２０          没入体
３０          抵抗低下体
４０          回転体
【図１】
2007319583.tif 000003
【図２】
2007319583.tif 000004
【図３】
2007319583.tif 000005
【図４】
2007319583.tif 000006
【図５】
2007319583.tif 000007
【図６】
2007319583.tif 000008
【図７】
2007319583.tif 000009
【図８】
2007319583.tif 000010
【図９】
2007319583.tif 000011
【図１０】
2007319583.tif 000012